(57)【特許請求の範囲】
【請求項１】
シャツのカラーを横に拡げて載せるためのアイロン台と、このアイロン台の上面を押圧してカラーをプレス仕上げするプレス鏝とを備え、カラーの長手方向の中央部に対応するアイロン台の上面位置が正面から見て逆三角形状に凹まれ、この上面位置に連なるアイロン台の左右の上面位置が水平面状に形成され、アイロン台がプレス鏝で押圧されると平面状に倒伏自在に形成されているカラーの伸張機能付きシャツ仕上げ機であって、アイロン台を介してエアーを下方に吸引する吸引機を備え、この吸引機で吸引されるエアーの流入室がアイロン台の下側に設けられ、アイロン台の逆三角形状に凹まれている上面位置に対応する流入室の天面の位置に、常時は閉塞されていると共に、アイロン台が倒伏すると開口する吸気口が形成され、またアイロン台の左右位置に、アイロン台を介して下方に吸引されるエアーを通すためのダクトが吊り下げ状に設けられていることを特徴とするカラーの伸張機能付きシャツ仕上げ機。
【請求項２】
請求項１記載のカラーの伸張機能付きシャツ仕上げ機であって、エアーの流入室内に設けられて弾性部材で上方に弾発されている蓋で吸気口が閉塞され、またこの蓋をアイロン台の倒伏時に弾性部材の弾発力に抗して押し下げて吸気口を開口する突起部が、吸気口に対応するアイロン台の下面位置に設けられていることを特徴とするカラーの伸張機能付きシャツ仕上げ機。
【請求項３】
請求項１又は２記載のカラーの伸張機能付きシャツ仕上げ機であって、カラーのセット時とアイロン台の倒伏時に、ダクトの外周面とエアーの流入室との間に生じる隙間が塞がれ、流入室が密閉可能に形成されていることを特徴とするカラーの伸張機能付きシャツ仕上げ機。
【発明の詳細な説明】
【技術分野】
【０００１】
本発明は、洗濯したワイシャツ等のシャツをプレス仕上げするためのシャツ仕上げ機に関し、更に詳しくは洗濯により縮まったカラーを綺麗に伸ばしてプレス仕上げできるよう形成したカラーの伸張機能付きシャツ仕上げ機に関するものである。
【背景技術】
【０００２】
従来、この種の仕上げ機としては、本出願人の提案に係る特許文献１に記載のものがある。
この従来機は、シャツのカラーを横に拡げて載せるためのアイロン台と、このアイロン台の上面を押圧してカラーをプレス仕上げするプレス鏝とを備えて形成されている。そして、この従来機は、カラーの長手方向の中央部に対応するアイロン台の上面位置が、正面から見て逆三角形状に凹まれ、この上面位置に連なる左右位置が水平面状に形成され、アイロン台は、プレス鏝で押圧されると、平面状に倒伏自在に形成されている。
また、この従来機は、アイロン台に熱を加える加熱部が、アイロン台の下側に設けられていた。これは、カラーの湿気でアイロン台の上面に敷かれるマットが濡れ、プレス鏝の熱だけではプレス処理に時間がかかるのを防止することからである。
【０００３】
従って従来機の場合は、プレス鏝の熱と加熱部の熱の両方が、カラーに上下から加えられたから、プレス後のカラーが高温になるのを避けられなかった。その結果、従来機によると、カラーをアイロン台から取り外す際、作業者がカラーを掴み難くなり、カラーの取り外し作業に支障を来たす、という問題点があった。
【０００４】
また従来、この種の仕上げ機は、上記の通り、アイロン台の中央が逆三角形状に凹まれている。従って、カラーが柔らかい生地製の場合は、アイロン台にセットしたとき、カラーの中央がアイロン台の凹みで下方に弛むのを避けられなかった。そのため従来機によると、この種の弛みが皴となってカラーに付き、その結果、カラーを綺麗に仕上げることができない、という問題点があった。
【先行技術文献】
【特許文献】
【０００５】
【特許文献１】特許第４４０９５３６号公報
【発明の概要】
【発明が解決しようとする課題】
【０００６】
本発明は、このような従来品の問題点に鑑み、提案されたものである。
従って本発明の解決しようとする技術的課題は、カラーをアイロン台の下から加熱することなく、カラーのプレス処理を迅速化でき、カラーの高温化を防止してカラーの取り外し作業を容易化すると共に、カラーがアイロン台の中央の凹みで弛むことを防止して、カラーを綺麗にプレス仕上げできるよう形成したカラーの伸張機能付きシャツ仕上げ機を提供することにある。
【課題を解決するための手段】
【０００７】
本発明は、上記の課題を解決するため、次のような技術的手段を採る。
即ち本発明は、図１等に示されるように、シャツ１のカラー１ａを横に拡げて載せるためのアイロン台２と、このアイロン台２の上面を押圧してカラー１ａをプレス仕上げするプレス鏝３とを備え、カラー１ａの長手方向の中央部に対応するアイロン台２の上面位置２ｂが正面から見て逆三角形状に凹まれ、この上面位置２ｂに連なるアイロン台２の左右の上面位置２ｃが水平面状に形成され、アイロン台２がプレス鏝３で押圧されると平面状に倒伏自在に形成されているカラー１ａの伸張機能付きシャツ仕上げ機であって、アイロン台２を介してエアーを下方に吸引する吸引機１０を備え、この吸引機１０で吸引されるエアーの流入室１１がアイロン台２の下側に設けられ、アイロン台２の逆三角形状に凹まれている上面位置２ｂに対応する流入室１１の天面の位置に、常時は閉塞されていると共に、アイロン台２が倒伏すると開口する吸気口１２が形成され、またアイロン台２の左右位置に、アイロン台２を介して下方に吸引されるエアーを通すためのダクト１８が吊り下げ状に設けられていることを特徴とする（請求項１）。
【０００８】
ここで、平面状に倒伏自在に形成され、とは、アイロン台２の上面がプレス鏝３の押圧力を受けると平面状に倒伏し、押圧力が除去されると復元する、ということを意味する。本発明の場合、吸気口１２の形状や大きさは任意である。吸気口１２の開閉は、例えばアイロン台２の倒伏動作を利用して、機械的な仕組みや電気的な仕組みで実現される。またダクト１８は、アイロン台２の左右の上面位置２ｃを、広い範囲にわたって吸引できるよう、例えば上部１８ａが皿状に形成されたり、上部１８ａの径が拡大されているのが良い。
【０００９】
而して、本発明は、エアーの流入室１１内に設けられて弾性部材１４で上方に弾発されている蓋１３で吸気口１２が閉塞され、またこの蓋１３をアイロン台２の倒伏時に弾性部材１４の弾発力に抗して押し下げて吸気口１２を開口する突起部１７が、吸気口１２に対応するアイロン台２の下面位置に設けられているのが好ましい（請求項２）。
なぜならこれによると、アイロン台２の起伏動作を利用して、換言すると電気エネルギー等を利用することなく、吸気口１２を簡単、低コストで開閉できるからである。ここで、弾性部材１４としては、例えばコイルバネ、板バネ、ダンパー、ゴムなどがある。
【００１０】
また本発明は、カラー１ａのセット時とアイロン台２の倒伏時に、ダクト１８の外周面とエアーの流入室１１との間に生じる隙間が塞がれ、流入室１１が密閉可能に形成されているのが好ましい（請求項３）。
なぜならこれによると、ダクト１８と流入室１１との隙間から外部空気が吸い込まれることを防止でき、吸引機１０の吸引エネルギーのロスを防止できるからである。
【００１１】
具体的には、ダクト１８の下端にフランジ１８ｂが形成され、このフランジ１８ｂの上面に、エアーの流入室１１の天井の内面に密着するパッキン１９が設けられ、またアイロン台２の倒伏時に流入室１１の天井の外面に密着するパッキン２０がアイロン台２の下側位置に設けられることで実現される。
【発明の効果】
【００１２】
本発明は、このようにプレス時にアイロン台が倒伏すると、吸気口と、左右のダクトを介してエアーがアイロン台を介して下方に吸引される。
【００１３】
従って、本発明は、カラーのプレス時に、プレス鏝の熱で発生する水蒸気を左右のダクトや、吸気口を介して下方に吸引できるから、本発明によると、カラーをアイロン台の下から加熱することなく、カラーやマットの乾燥を促進できる。
また本発明によると、プレス後にカラーの温度が高くなるのを防止できるから、カラーを掴み易くなり、カラーをアイロン台から楽に取り外すことができる。
【００１４】
また本発明は、カラーをセットする際に、カラーの左右の位置をアイロン台の上面に吸着できる。
従って本発明は、カラーが柔らかい生地製の場合でも、アイロン台の中央の凹みでカラーが弛むことを防止できる。それ故、本発明によれば、この種の弛みを原因とする皴の発生を防止でき、カラーを綺麗にプレス仕上げできる。
【図面の簡単な説明】
【００１５】
【図１】本発明の仕上げ機の好適な一実施形態を示し、Ａは斜視図、Ｂは要部斜視図である。
【図２】カラーのセット時の要部正面図である。
【図３】アイロン台の倒伏時の要部正面図である。
【図４】カラーのセット時の要部斜視図である。
【図５】アイロン台の倒伏時の要部斜視図である。
【図６】カラーのセット時の要部断面図である。
【図７】アイロン台の倒伏時の要部断面図である。
【図８】カラーのセット時の要部断面図である。
【図９】アイロン台の倒伏時の要部断面図である。
【発明を実施するための形態】
【００１６】
以下、本発明の好適な一実施形態を添付図面に従って説明する。
本発明の仕上げ機は、図１等に示されるように、シャツ１のカラー１ａを横に拡げて載せるためのアイロン台２と、このアイロン台２の上面を押圧してカラー１ａをプレス仕上げするプレス鏝３とを備えて形成されている。
【００１７】
アイロン台２は、上下方向に貫通する孔２ａを多数有し、上面にマット（図示せず）が敷かれ、カバー（図示せず）で覆われている。プレス鏝３の鏝面は、平面状に形成されている。
【００１８】
カラー１ａの長手方向の中央部に対応するアイロン台２の上面位置２ｂは、図２等に示されるように、正面から見て逆三角形状に凹まれている。この上面位置２ｂは、左右一対のプレート４で形成されている。そして、この左右一対のプレート４は、図４、図５に示されるように、接合される側の端部の凸部４ａと凹部４ｂを係合させ、軸５で回動自在に連結されている。
【００１９】
またアイロン台２の逆三角形状の上面位置２ｂに連なる左右の上面位置２ｃは、水平面状に形成されている。具体的には、左右一対のプレート４の外側端部が、アイロン台２の上面の左右位置を形成する水平板６と、ジョイント軸７を介して枢着されている。
【００２０】
またアイロン台２は、図２等に示されるように、傾斜状に設けられている左右一対の内側のシリンダー８と、側端に起立状に設けられている外側のシリンダー９とで支持されている。内側のシリンダー８の上端は、ジョイント軸７に枢着され、外側のシリンダー９の上端は、水平板６の側端に枢着されている。アイロン台２の上面は、図３に示されるように、プレス鏝３で押圧されると、シリンダー８、９が縮まり、平面状に倒伏する。
【００２１】
この実施形態では、このようにアイロン台２をシリンダー８、９で支持しているから、プレス後にプレス鏝３が離れても、シリンダー８、９へ送るエアーを制御することで、アイロン台２の倒伏姿勢を一定時間保持できる。従って、この実施形態の本発明の場合は、アイロン台２が復元する前の、平面状のアイロン台２からカラー１ａを取り外すことができる。それ故これによると、アイロン台２が復元した後にシャツ１を取り外す場合に比べ、カラー１ａの中央部に、アイロン台２の復元によって生じる皴が付くことを防止できる。
【００２２】
而して、本発明は、図１等に示されるように、アイロン台２を介してエアーを下方に吸引する吸引機１０を備えて形成されている。またこの吸引機１０で吸引されるエアーの流入室１１が、アイロン台２の下側に設けられている。本発明は、吸引機１０でカラー１ａのセット時とアイロン台２の倒伏時に、カラー１ａを吸引可能に形成されている。
【００２３】
また本発明は、図１Ｂ、図４等に示されるように、アイロン台２の逆三角形状に凹まれている上面位置２ｂに対応する流入室１１の天面の位置に、常時は閉塞されていると共に、アイロン台２が倒伏すると開口する吸気口１２が形成されている。この吸気口１２は、図６等に示されるように、エアーの流入室１１内に設けられている蓋１３で閉塞されている。この蓋１３は、ゴム板等で形成され、弾性部材１４としてのコイルバネで上方に弾発され、流入室１１の天井の内面に密着されている。
【００２４】
なお、この実施形態の本発明は、弾性部材１４の下端が、流入室１１内に設けられているベース部１５に取り付けられ、ベース部１５は、ネジ１６を締め付け直すことで高さ調節可能に形成されている。従って、蓋１３の圧着力は、ベース部１５の高さを変えることで変更することができる。
【００２５】
また１７（図４、図６等参照）は、アイロン台２の倒伏時に弾性部材１４の弾発力に抗して蓋１３を押し下げて吸気口１２を開口する突起部である。この突起部１７は、吸気口１２に対応するアイロン台２の下面位置に設けられている。突起部１７は、この実施形態ではピン状に形成され、図７に示されるように、左右のプレート４の下面に、プレート４と直交するよう下端が開放されて固定されている。
【００２６】
また本発明は、図２、図３等に示されるように、アイロン台２の左右位置に、アイロン台２を介して下方に吸引されるエアーを通すためのダクト１８が吊り下げ状に設けられている。このダクト１８は、この実施形態ではエアーを流入室１１に導くよう、下端が流入室１１内に開放されて配置されている。またこの実施形態では、エアーを広い範囲にわたって吸引できるよう、ダクト１８の上部１８ａは、底の浅い皿状に形成されている。
【００２７】
またこの実施形態の本発明は、カラー１ａのセット時とアイロン台２の倒伏時に、ダクト１８と流入室１１の隙間を塞ぎ、流入室１１を密閉可能になるよう形成されている。具体的には、図８、図９に示されるように、ダクト１８の下端にフランジ１８ｂが形成され、このフランジ１８ｂの上面にパッキン１９が貼られている。アイロン台２が、図８に示されるように、立ち上がっているとき（カラー１ａのセット時）は、パッキン１９が流入室１１の天井の内面に密着し、これによりダクト１８の外周面と流入室１１の天井との間に生じる隙間が塞がれ、流入室１１の気密性が確保される。
【００２８】
またこの実施形態では、ダクト１８の皿状の上部１８ａの下面に、パッキン２０が貼られている。このパッキン２０は、図９に示されるように、アイロン台２が倒伏すると、流入室１１の天井の外面に密着する。この結果、ダクト１８の外周面と流入室１１の天井との間に生じる隙間が塞がれ、流入室１１の気密性が確保される。
【００２９】
次に、この実施形態に係る本発明の作用を説明する。
先ず作業者は、図１Ａに示されるように、シャツ１のカラー１ａをアイロン台２の上面に横に拡げてセットする。次に作業者が吸引機１０のスイッチを入れる。すると、吸引機１０が駆動し、アイロン台２を介してエアーを吸引する。これにより、カラー１ａの左右位置が、アイロン台２の左右の上面位置２ｃに吸着される。
【００３０】
吸引機１０で吸引されるエアーは、図８に示されるように、流入室１１に流れ込み、流入室１１を経て外部に放出される。このとき、ダクト１８のフランジ１８ｂの上面のパッキン１９が、流入室１１の天井の内面に密着するため、ダクト１８と流入室１１の隙間が気密的に塞がれる。
【００３１】
従って本発明の場合は、吸引時に上記の隙間から外部空気を吸い込むことがないから、カラー１ａの左右位置が、アイロン台２の左右の上面位置２ｃにしっかりと吸着される。その結果、本発明によると、カラー１ａが柔らかい生地製の場合も、緊張状にセットでき、プレス鏝３で綺麗にプレス仕上げできる。
なお、カラー１ａのセット時は、図２、図６に示されるように、吸気口１２は蓋１３で閉塞されている。従ってカラー１ａの中央部は、エアーが吸引されないため、吸着されることがない。
【００３２】
次に作業者が、スタートボタンを押す。すると、プレス鏝３が下降し、アイロン台２の上面を押圧する。これにより、左右一対のプレート４が軸５を中心に下方に回動して押し下げられる。また水平板６が、外側方に僅かに移動しながら徐々に押し下げられ、ついにはプレート４及び水平板６が、平面状に倒伏される（図３、図７参照）。
【００３３】
このとき本発明は、図７に示されるように、突起部１７が、垂直状に配置され、弾性部材１４の弾発力に抗して蓋１３を押し下げる。これにより、吸気口１２が開口し、アイロン台２の中央の上面位置２ｂにおいて、エアーが流入室１１に引き込まれる。
【００３４】
従って本発明は、カラー１ａがプレス鏝３でプレスされると、図７に矢示されるように、カラー１ａやマットに含まれる水分（プレス鏝３の熱で水蒸気化している）が、吸気口１２及びダクト１８を介して吸引され、除去される。その結果、本発明によると、カラー１ａやマットの乾燥が促進され、アイロン台２の下から加熱しなくても、プレス鏝３の熱だけで迅速にプレス仕上げできる。
【００３５】
以上の処において、本発明は、吸気口１２の開閉機構は、上例に限定されるものではなく、その他、例えば電気的手段によって形成されているのでも良い。
【００３６】
また本発明は、ダクト１８と吸引機１０とが、フレキシブル管で直接接続されているのでも良い。この場合は、ダクト１８からフレキシブル管を経てエアーが吸引されるため、上例のように、パッキンでダクト１８と流入室１１との隙間を塞ぐ必要がない。従ってこれによると、構造を簡単化でき、パッキンの劣化で密閉性が低下することを防止できる。
【符号の説明】
【００３７】
１      シャツ
１ａ    カラー
２      アイロン台
２ａ    孔
２ｂ    カラーの長手方向の中央部に対応するアイロン台の上面位置
２ｃ    アイロン台の左右の上面位置
３      プレス鏝
１０    吸引機
１１    エアーの流入室
１２    吸気口
１８    ダクト
【図１】
0005679857.tif 000002
【図２】
0005679857.tif 000003
【図３】
0005679857.tif 000004
【図４】
0005679857.tif 000005
【図５】
0005679857.tif 000006
【図６】
0005679857.tif 000007
【図７】
0005679857.tif 000008
【図８】
0005679857.tif 000009
【図９】
0005679857.tif 000010